(57)【要約】【課題】液晶層の厚さ方向の位相差値を通常範囲を越えて大きくすることにより、高デューティ駆動時のＯＮ透過率を上げてコントラストと視野角を向上した垂直配向型液晶表示装置を提供する。【解決手段】垂直配向型液晶表示装置は、液晶層８の厚さ方向の位相差値を５００ｎｍ〜１６００ｎｍの範囲に設定するとともに、吸収軸９ａ，１０ａが直交する第１，第２の偏光板９，１０の間に第１の位相差板１３を挿入する。該第１の位相差板１３は、負の屈折率異方性を有する一軸性位相差板であって、厚さ方向の位相差値が２２０ｎｍ〜１３２０ｎｍの範囲に設定され、液晶層８を挟持する第１，第２のガラス基板４，５に垂直な光軸を有する。【選択図】  図５
2010039281.tif 000002
【特許請求の範囲】
【請求項１】
ギャップを隔てて対向する第１および第２の透明電極の前記第１の透明電極を設けた透明な第１のガラス基板および前記第２の透明電極を設けた透明な第２のガラス基板の間に、負の誘電率異方性を有し、液晶分子の配向が前記第１および第２のガラス基板に対して略垂直の液晶からなり、前記第１および第２の透明電極間に電圧を印加すると、前記液晶分子の配向が前記第１および第２のガラス基板に対して略平行になる液晶層を挟持し、
前記第１のガラス基板の前記液晶層に接する側とは反対側に、所定方向に吸収軸を有する第１の偏光板を配置するとともに、前記第２のガラス基板の前記液晶層に接する側とは反対側に、前記第１の偏光板の吸収軸と直交する方向に吸収軸を有する第２の偏光板を配置する垂直配向型液晶表示装置であって、
前記液晶分子の長軸方向の屈折率をｎｅ、短軸方向の屈折率をｎｏ、ｎｅ−ｎｏ＝Δｎとし、前記液晶層の厚さをｄとするとき、Δｎ・ｄで与えられる前記液晶層の厚さ方向の位相差値を５００ｎｍ〜１６００ｎｍの範囲に設定するとともに、
前記第１および第２の偏光板の間に第１の位相差板を挿入し、
該第１の位相差板は、面内の最大屈折率を示す遅相軸方向の屈折率をｎｘ、面内の前記遅相軸方向と直交する進相軸方向の屈折率をｎｙ、厚さ方向の屈折率をｎｚとするとき、ｎｘ＝ｎｙ＞ｎｚとなる負の屈折率異方性を有する一軸性位相差板であって、
厚さをｄ１とするとき、｜（ｎｘ＋ｎｙ）／２−ｎｚ｜・ｄ１で与えられる厚さ方向の位相差値が２２０ｎｍ〜１３２０ｎｍの範囲に設定され、
前記第１および第２のガラス基板に垂直な光軸を有することを特徴とする垂直配向型液晶表示装置。
【請求項２】
前記第１および第２の偏光板の間に第２の位相差板を追加挿入し、
該第２の位相差板は、ｎｘ＞ｎｙ＝ｎｚとなる正の屈折率異方性を有する一軸性位相差板であって、
厚さをｄ２とするとき、｜（ｎｘ−ｎｙ）｜・ｄ２で与えられる面内の位相差値が１ｎｍ〜１００ｎｍの範囲に設定され、
前記第１および第２のガラス基板に平行な光軸を有することを特徴とする請求項１記載の垂直配向型液晶表示装置。
【請求項３】
前記第１および第２の位相差板の代わりに前記第１および第２の偏光板の間に第３の位相差板を挿入し、
該第３の位相差板は、ｎｘ＞ｎｙ＞ｎｚとなる屈折率異方性を有する二軸性位相差板であって、
厚さをｄ３とするとき、｜（ｎｘ−ｎｙ）｜・ｄ３で与えられる面内の位相差値が１ｎｍ〜１００ｎｍの範囲に設定され、｜（ｎｘ＋ｎｙ）／２−ｎｚ｜・ｄ３で与えられる厚さ方向の位相差値が２２０ｎｍ〜１３２０ｎｍの範囲に設定され、
前記第１および第２のガラス基板に平行な面内の遅相軸を有することを特徴とする請求項２に記載の垂直配向型液晶表示装置。
【発明の詳細な説明】
【技術分野】
【０００１】
本発明は、単純マトリックス駆動（デューティ駆動）を行う垂直配向型液晶表示装置に関する。
【背景技術】
【０００２】
垂直配向型液晶表示装置を単純マトリックスで大容量化、高精細化するには、高デューティ駆動を行う必要がある。このような垂直配向型液晶表示装置の従来例として特許文献１には、時分割駆動方式で大きなデューティ比で表示動作を行う垂直配向型の液晶表示素子が記載されている。
【特許文献１】特開平１０−１９７８５８号公報
【発明の開示】
【発明が解決しようとする課題】
【０００３】
しかしながら、垂直配向型液晶表示装置で高デューティ駆動を行うとＯＮ透過率が低くなるため表示が暗くなり、コントラストが低下する。
【０００４】
一方、液晶層の厚さ方向の位相差値を大きくするとＯＮ透過率は上がるが、垂直配向型は傾斜による液晶層の複屈折変化が大きいため視野角が狭くなる。
【０００５】
そこで、本発明は、液晶層の厚さ方向の位相差値を通常範囲を越えて大きくすることにより、高デューティ駆動時のＯＮ透過率を上げてコントラストと視野角を向上した垂直配向型液晶表示装置を提供することを目的とする。
【０００６】
なお、垂直配向型液晶表示装置に求められる特性として、高コントラスト，高速応答性，広視野角などがあり、液晶層（液晶セル）の厚さ方向の位相差値は、８０ｎｍ〜４００ｎｍの範囲が好ましいとされ、さらに高コントラスト，高速応答性を考慮するとその適正領域はさらに狭くなり、２４０〜２８０ｎｍが目標値になることが一般に知られている。
【課題を解決するための手段】
【０００７】
本発明は、上記課題を、請求項１に記載したように、ギャップを隔てて対向する第１および第２の透明電極の前記第１の透明電極を設けた透明な第１のガラス基板および前記第２の透明電極を設けた透明な第２のガラス基板の間に、負の誘電率異方性を有し、液晶分子の配向が前記第１および第２のガラス基板に対して略垂直の液晶からなり、前記第１および第２の透明電極間に電圧を印加すると、前記液晶分子の配向が前記第１および第２のガラス基板に対して略平行になる液晶層を挟持し、前記第１のガラス基板の前記液晶層に接する側とは反対側に、所定方向に吸収軸を有する第１の偏光板を配置するとともに、前記第２のガラス基板の前記液晶層に接する側とは反対側に、前記第１の偏光板の吸収軸と直交する方向に吸収軸を有する第２の偏光板を配置する垂直配向型液晶表示装置であって、前記液晶分子の長軸方向の屈折率をｎｅ、短軸方向の屈折率をｎｏ、ｎｅ−ｎｏ＝Δｎとし、前記液晶層の厚さをｄとするとき、Δｎ・ｄで与えられる前記液晶層の厚さ方向の位相差値を５００ｎｍ〜１６００ｎｍの範囲に設定するとともに、前記第１および第２の偏光板の間に第１の位相差板を挿入し、該第１の位相差板は、面内の最大屈折率を示す遅相軸方向の屈折率をｎｘ、面内の前記遅相軸方向と直交する進相軸方向の屈折率をｎｙ、厚さ方向の屈折率をｎｚとするとき、ｎｘ＝ｎｙ＞ｎｚとなる負の屈折率異方性を有する一軸性位相差板であって、厚さをｄ１とするとき、｜（ｎｘ＋ｎｙ）／２−ｎｚ｜・ｄ１で与えられる厚さ方向の位相差値が２２０ｎｍ〜１３２０ｎｍの範囲に設定され、前記第１および第２のガラス基板に垂直な光軸を有することを特徴とする垂直配向型液晶表示装置により、解決するものである。
【０００８】
また、請求項２に記載したように、前記第１および第２の偏光板の間に第２の位相差板を追加挿入し、該第２の位相差板は、ｎｘ＞ｎｙ＝ｎｚとなる正の屈折率異方性を有する一軸性位相差板であって、厚さをｄ２とするとき、｜（ｎｘ−ｎｙ）｜・ｄ２で与えられる面内の位相差値が１ｎｍ〜１００ｎｍの範囲に設定され、前記第１および第２のガラス基板に平行な光軸を有することを特徴とする請求項１に記載の垂直配向型液晶表示装置により、解決するものである。
【０００９】
さらに、請求項３に記載したように、前記第１および第２の位相差板の代わりに前記第１および第２の偏光板の間に第３の位相差板を挿入し、該第３の位相差板は、ｎｘ＞ｎｙ＞ｎｚとなる屈折率異方性を有する二軸性位相差板であって、厚さをｄ３とするとき、｜（ｎｘ−ｎｙ）｜・ｄ３で与えられる面内の位相差値が１ｎｍ〜１００ｎｍの範囲に設定され、｜（ｎｘ＋ｎｙ）／２−ｎｚ｜・ｄ３で与えられる厚さ方向の位相差値が２２０ｎｍ〜１３２０ｎｍの範囲に設定され、前記第１および第２のガラス基板に平行な面内の遅相軸を有することを特徴とする請求項２に記載の垂直配向型液晶表示装置により、解決するものである。
【発明の効果】
【００１０】
本発明の請求項１、２、３に記載の垂直配向型液晶表示装置によれば、厚さ方向の位相差値を通常範囲（８０ｎｍ〜４００ｎｍ）を越えて大きくした液晶層の複屈折を位相差板により補償することができ、高デューティ駆動時のＯＮ透過率を上げてコントラストと視野角を向上することができる。
【発明を実施するための最良の形態】
【００１１】
以下、本発明の請求項１〜３に記載の垂直配向型液晶表示装置（以下「ＶＡ型液晶表示装置」という。ＶＡ：vertical alignment）にかかる実施の形態を図面を参照して説明する。
【００１２】
図１は本発明の請求項１〜３に記載のＶＡ型液晶表示装置にかかる実施の形態の基本構成を示す断面図、図２は本発明の請求項１〜３に記載のＶＡ型液晶表示装置にかかる実施の形態の電極構造を示す平面図、図３は本発明の請求項１〜３に記載のＶＡ型液晶表示装置にかかる実施の形態の偏光板を示す平面図、図４（ａ）は本発明の請求項１〜３に記載のＶＡ型液晶表示装置にかかる実施の形態の非駆動状態の液晶配向を示す模式図、図４（ｂ）は本発明の請求項１〜３に記載のＶＡ型液晶表示装置にかかる実施の形態の駆動状態の液晶配向を示す模式図である。
【００１３】
ＶＡ型液晶表示装置１，２，３（１：本発明の請求項１に記載のＶＡ型液晶表示装置にかかる実施の形態のＶＡ型液晶表示装置，２：本発明の請求項２に記載のＶＡ型液晶表示装置にかかる実施の形態のＶＡ型液晶表示装置，３：本発明の請求項３に記載のＶＡ型液晶表示装置にかかる実施の形態のＶＡ型液晶表示装置）は、液晶パネル４を含み、その液晶パネル４を用いて画像を表示するものである。
【００１４】
図１に示すように、液晶パネル４は、片側の基板面全面に透明な第１の透明電極５ａが形成され、その第１の透明電極５ａの上に第１の配向膜５ｂが形成され、その第１の配向膜５ｂに対してラビング処理を施した透明な第１のガラス基板５と、同じく片側の基板面全面に透明な第２の透明電極６ａが形成され、その第２の透明電極６ａの上に第２の配向膜６ｂが形成され、その第２の配向膜６ｂに対してラビング処理を施した透明な第２のガラス基板６とが、ポリマー球７をスペーサ材として、第１の配向膜５ｂと第２の配向膜６ｂとが互いに対向するような向きに貼り合わされ、シール材（図示せず）により周辺が封じられ、パネル本体４ａが形成されている。
【００１５】
また、パネル本体４ａ中において、第１および第２のガラス基板５および６の間の空隙（セルギャップ）には、真空注入法や滴下法などにより負の誘電率異方性を有する液晶（ネマティック液晶）が封入されて液晶層８が形成されている。このように形成された液晶層８では、液晶層８の厚さｄがスペーサ材としてのポリマー球７の径により設定される。
【００１６】
さらに、パネル本体４ａの外側において、第１のガラス基板５の液晶層８に接する側とは反対側の基板面（パネル背面）には、第１の偏光板９が貼り付けられ、第２のガラス基板６の液晶層８に接する側とは反対側の基板面（パネル正面）には、第２の偏光板１０が貼り付けられ、液晶パネル４が完成されている。
【００１７】
図２に示すように、第１および第２の透明電極５ａおよび６ａは、第１の透明電極５ａが第１のガラス基板５の横方向（図２の左右方向）に平行して形成されて、走査側駆動回路１１に接続される走査電極、第２の透明電極６ｂが第２のガラス基板６の縦方向（図２の上下方向）に平行して形成されて、信号側駆動回路１２に接続される信号電極であって、液晶パネル５は、このよう横方向および縦方向にそれぞれ平行して形成された第１および第２の透明電極５ａおよび６ａの交点を１画素としている。言い換えると、液晶パネル４は、画素を格子状に配列し、その格子状に配列された画素に対して横方向および縦方向の第１および第２の透明電極５ａおよび６ａを配置し、このうちの必要な縦方向および横方向の第１および第２の透明電極５ａおよび６ａを選択して電圧を印加する。これにより、選択された縦方向および横方向の第１および第２の透明電極５ａおよび６ａの交点にある画素の液晶層８（液晶セル）が駆動される。すなわち、液晶パネル４は、単純マトリックス方式で駆動される。ただし、表示画素数が多いので、駆動は時分割のマルチプレックス駆動となる。
【００１８】
図３に示すように、第１および第２の偏光板９および１０は、第１の偏光板９が矢印９ａで示した方向に吸収軸を有し、第２の偏光板１０が矢印１０ａで示した方向に吸収軸を有している。すなわち、第１の偏光板９および第２の偏光板１０が、吸収軸９ａおよび１０ａが直交するように配置されている。
【００１９】
上記のように構成された液晶パネル４は、第１および第２の透明電極５ａおよび６ａの間に電圧が印加されていない非駆動状態では、図４（ａ）に示すように、第１および第２の透明電極５ａおよび６ａに挟まれた液晶層８（液晶セル）中の液晶分子８ａは、第１および第２の配向膜５ｂおよび６ｂの作用により、第１および第２のガラス基板５および６に対して略垂直に配向し、ここを通過する光の偏光状態はほとんど変化しなくなる。このため、液晶パネル４の入射側（背面側）の第１の偏光板９を透過した光がほとんどそのまま液晶パネル４の出射側（正面側）の第２の偏光板１０に入射されてそこでほとんどが吸収され、暗い表示（黒表示）となる。
【００２０】
これに対し、第１および第２の透明電極５ａおよび６ａの間に電圧が印加されている駆動状態では、図４（ｂ）に示すように、第１および第２の透明電極５ａおよび６ａに挟まれた液晶層８中の液晶分子８ａは、その負の誘電率異方性によって電界に対して略直交する方向、すなわち、第１および第２のガラス基板５および６に対して略平行に配向し、ここを通過する光の偏光状態を変化させる。このため、液晶パネル４の入射側の第１の偏光板９を透過した光は、偏光状態を変えて液晶層８を出射するため、液晶パネル４の出射側の第２の偏光板１０の吸収軸１０と直交する透過軸の偏光成分が多くなり、明るい表示（白表示）となる。
【００２１】
以上から明らかなように、ＶＡ型液晶表示装置１，２，３は、ギャップを隔てて対向する第１および第２の透明電極５ａおよび６ａの前記第１の透明電極５ａを設けた透明な第１のガラス基板５および前記第２の透明電極６ａを設けた透明な第２のガラス基板６の間に、負の誘電率異方性を有し、液晶分子８ａの配向が前記第１および第２のガラス基板５および６に対して略垂直の液晶からなり、前記第１および第２の透明電極５ａおよび６ａの間に電圧を印加すると、前記液晶分子８ａの配向が前記第１および第２のガラス基板５および６に対して略平行になる液晶層８を挟持し、前記第１のガラス基板５の前記液晶層８に接する側とは反対側に、所定方向に吸収軸９ａを有する第１の偏光板９を配置するとともに、前記第２のガラス基板６の前記液晶層８に接する側とは反対側に、前記第１の偏光板９の吸収軸９ａと直交する方向に吸収軸１０ａを有する第２の偏光板１０を配置する垂直配向型液晶表示装置であって、単純マトリックス駆動（デューティ駆動）を行うが、大容量化、高精細化の要求に対応して、高デューティ駆動を行うものである。
【００２２】
図５は本発明の請求項１に記載のＶＡ型液晶表示装置の一実施の形態の構成を示す模式図である。
【００２３】
図５に示すＶＡ型液晶表示装置１は、液晶パネル４における液晶層８の厚さ方向の位相差値を、通常範囲（８０ｎｍ〜４００ｎｍ）を越えて大きくしてある。すなわち、５００ｎｍ〜１６００ｎｍの範囲に設定してある。
【００２４】
ここで、液晶層８の厚さ方向の位相差値は、Δｎ・ｄで与えられる。ただし、Δｎ＝ｎｅ−ｎｏであって、ｎｅは液晶分子８ａの長軸方向の屈折率（異常光の屈折率）、ｎｏは液晶分子８ａの短軸方向の屈折率（常光の屈折率）である。またｄは液晶層８の厚さである。
【００２５】
また、図５に示すＶＡ型液晶表示装置１は、液晶パネル４における第１および第２の偏光板９および１０の間に第１の位相差板１３を挿入してある。
【００２６】
第１の位相差板１３は、面内の最大屈折率を示す遅相軸方向の屈折率をｎｘ、面内の前記遅相軸方向と直交する進相軸方向の屈折率をｎｙ、厚さ方向の屈折率をｎｚとするとき、ｎｘ＝ｎｙ＞ｎｚとなる負の屈折率異方性を有する一軸性位相差板（ネガティブＣプレート）であって、厚さをｄ１とするとき、｜（ｎｘ＋ｎｙ）／２−ｎｚ｜・ｄ１で与えられる厚さ方向の位相差値が２２０ｎｍ〜１３２０ｎｍの範囲に設定され、前記第１および第２のガラス基板に垂直な光軸を有し、液晶層８の複屈折を補償する。
【００２７】
図６は本発明の請求項１〜３に記載のＶＡ型液晶表示装置にかかる実施の形態の位相差板挿入箇所を示す概略図である。
【００２８】
図６において、（ア），（イ），（ウ），（エ），（オ），（カ）は、液晶パネル４における、次のとおりの位相差板挿入箇所を示す。
（ア）：第１のガラス基板５と第１の偏光板９の間
（イ）：第１のガラス基板５と第１の透明電極５ａの間
（ウ）：第１の透明電極５ａと第１の配向膜５ｂの間
（エ）：第２の透明電極６ａと第２の配向膜６ｂの間
（オ）：第２のガラス基板６と第２の透明電極６ａの間
（カ）：第２のガラス基板６と第２の偏光板１０の間
すなわち、（ア）〜（ウ）は液晶層８の光入射側の位相差板挿入箇所、（エ）〜（カ）は液晶層８の光出射側の位相差板挿入箇所となる。また、（ア）および（カ）はパネル本体４ａ外の位相差板挿入箇所、（イ）〜（オ）はパネル本体４ａ内の位相差板挿入箇所となる。
【００２９】
図５に示すＶＡ型液晶表示装置１は、液晶パネル４における（ア）に１枚の第１の位相差板１３を挿入し、液晶層８の複屈折を補償する構成を示したが、（ア）に代えて（イ）〜（カ）の何れに挿入しても、液晶層８の複屈折を補償することができる。また、２枚の第１の位相差板１３を（ア）と（カ）または（イ）と（オ）または（ウ）と（エ）に挿入しても、液晶層８の複屈折を補償することができるが、この場合の２枚の第１の位相差板１３の厚さ方向の位相差値は、その合計が２２０ｎｍ〜１３２０ｎｍとなるように設定される。
【００３０】
次に、図７は本発明の請求項２に記載のＶＡ型液晶表示装置の一実施の形態の構成を示す模式図である。
【００３１】
図７に示すＶＡ型液晶表示装置２は、図５に示したＶＡ型液晶表示装置１の液晶パネル４における第１および第２の偏光板９および１０の間に、さらに、第２の位相差板１４を追加挿入してある。
【００３２】
第２の位相差板１４は、ｎｘ＞ｎｙ＝ｎｚとなる正の屈折率異方性を有する一軸性位相差板（ポジティブａプレート）であって、厚さをｄ２とするとき、｜（ｎｘ−ｎｙ）｜・ｄ２で与えられる面内の位相差値が１ｎｍ〜１００ｎｍの範囲に設定され、前記第１および第２のガラス基板５および６に平行な光軸を有する。
【００３３】
図７に示すＶＡ型液晶表示装置２は、液晶パネル４における（ア）に１枚の第１の位相差板１３を、また、（カ）に１枚の第２の位相差板１４を挿入した構成を示したが、（イ）に１枚の第１の位相差板１３を、また、（オ）に１枚の第２の位相差板１４を挿入したり、（ウ）に１枚の第１の位相差板１３を、また、（エ）に１枚の第２の位相差板１４を挿入してもよい。また、１枚の第１の位相差板１３および１枚の第２の位相差板１４を（ア）〜（カ）の何れか１箇所（同じ挿入箇所）に積層状態で挿入したり、（ア）と（カ）または（イ）と（オ）または（ウ）と（エ）の２箇所にそれぞれ積層状態で挿入してもよい。この場合、第１の位相差板１３は第２の位相差板１４の外側に配置される。また、２枚の第２の位相差板１４の面内の位相差値は、その合計が１ｎｍ〜１００ｎｍとなるように設定される。さらに、液晶層８の光入射側の（ア），（イ），（ウ）に挿入される第２の位相差板１４は、面内遅相軸ｎｘが、液晶層８の光入射側の第１の偏光板９の吸収軸９ａに直交するように配置され、液晶層８の光出射側の（エ），（オ），（カ）に挿入される第２の位相差板１４は、面内遅相軸ｎｘが、液晶層８の光出射側の第２の偏光板１０の吸収軸１０ａに直交するように配置される。
【００３４】
次に、図８は本発明の請求項３に記載のＶＡ型液晶表示装置の一実施の形態の構成を示す模式図である。
【００３５】
図８に示すＶＡ型液晶表示装置３は、図７に示したＶＡ型液晶表示装置２の液晶パネル４に挿入した第１の位相差板１３および第２の位相差板１４に代えて第３の位相差板１５を液晶パネル４における第１および第２の偏光板９および１０の間に挿入してある。
【００３６】
第３の位相差板１５は、ｎｘ＞ｎｙ＞ｎｚとなる屈折率異方性を有する二軸性位相差板であって、厚さをｄ３とするとき、｜（ｎｘ−ｎｙ）｜・ｄ３で与えられる面内の位相差値が１ｎｍ〜１００ｎｍの範囲に設定され、｜（ｎｘ＋ｎｙ）／２−ｎｚ｜・ｄ３で与えられる厚さ方向の位相差値が２２０ｎｍ〜１３２０ｎｍの範囲に設定され、前記第１および第２のガラス基板５および６に平行な面内の遅相軸を有する。
【００３７】
図８に示すＶＡ型液晶表示装置３は、液晶パネル４における（ア）に１枚の第３の位相差板１５を挿入した構成を示したが、（ア）に代えて（イ）〜（カ）の何れに挿入してもよい。また、（ア）と（カ）または（イ）と（オ）または（ウ）と（エ）の２箇所に挿入してもよい。この場合、２枚の第３の位相差板１５の面内の位相差値は、その合計が１ｎｍ〜１００ｎｍとなり、２枚の第３の位相差板１５の厚さ方向の位相差値は、その合計が２２０ｎｍ〜１３２０ｎｍとなるように設定される。さらに、液晶層８の光入射側の（ア），（イ），（ウ）に挿入される第３の位相差板１５は、面内遅相軸ｎｘが、液晶層８の光入射側の第１の偏光板９の吸収軸９ａに直交するように配置され、液晶層８の光出射側の（エ），（オ），（カ）に挿入される第３の位相差板１５は、面内遅相軸ｎｘが、液晶層８の光出射側の第２の偏光板１０の吸収軸１０ａに直交するように配置される。
【００３８】
なお、図５，図７，図８における０°−１８０°を結ぶ直線は液晶分子８ａの配向方向である。
【００３９】
以上、ＶＡ型液晶表示装置１，２，３では，１／６０のデューティ比で高デューティ駆動したところ、左右方向１０：１のコントラスト比で左右それぞれ５０°以上、上方向２０：１のコントラスト比で５０°以上の視野角を実現した。なお、この結果は、ＡＵＴＲＯＮＩＣ-ＭＥＬＣＨＥＲＳ社製コノスコープを用いて確認したものである。
【００４０】
ＶＡ型液晶表示装置１，２，３について、ＶＡ型液晶表示装置１における第１の位相差板１３の１枚または複数枚使用による液晶パネル４の光学補償と比較して、ＶＡ型液晶表示装置３における第３の位相差板１５の２枚の組み合わせ、次いでＶＡ型液晶表示装置２の第１の位相板１３および第２の位相差板１４の組み合わせの補償効果が高い。
【００４１】
また、第１の位相差板１３および第３の位相差板１５を組み合わせてもよく、ＶＡ型液晶表示装置３に続く補償効果を得ることができる。図９は、このような、本発明の変形例（請求項１＋請求項３）に係るＶＡ型液晶表示装置の一実施の形態の構成を示す模式図である。
【００４２】
図９に示すＶＡ型液晶表示装置４０は、図５に示したＶＡ型液晶表示装置１の液晶パネル４における第１および第２の偏光板９および１０の間に、さらに、図８に示した第３の位相差板１５を追加挿入、或いは、図７に示したＶＡ型液晶表示装置２の液晶パネル４に挿入した第２の位相差板１４に代えて、図８に示した第３の位相差板１５を、液晶パネル４における第１および第２の偏光板９および１０の間に挿入、或いは、図８に示したＶＡ型液晶表示装置３の液晶パネル４における第１および第２の偏光板９および１０の間に、さらに、図５に示した第１の位相差板１３を追加挿入したものである。
【００４３】
図９においてＶＡ型液晶表示装置４０は、液晶パネル４における（ア）に１枚の第１の位相差板１３を、また、（カ）に１枚の第３の位相差板１５を挿入した構成を示している。なお、第１および第３の位相差板１３および１５の挿入箇所や遅相軸の方向、位相差値などはＶＡ型液晶表示装置１，２，３に倣って適宜設定される。
【図面の簡単な説明】
【００４４】
【図１】本発明の請求項１〜３に記載のＶＡ型液晶表示装置にかかる実施の形態の基本構成を示す断面図である。
【図２】本発明の請求項１〜３に記載のＶＡ型液晶表示装置にかかる実施の形態の電極構造を示す平面図である。
【図３】本発明の請求項１〜３に記載のＶＡ型液晶表示装置にかかる実施の形態の偏光板を示す平面図である。
【図４】（ａ）本発明の請求項１〜３に記載のＶＡ型液晶表示装置にかかる実施の形態の非駆動状態の液晶配向を示す模式図、（ｂ）本発明の請求項１〜３に記載のＶＡ型液晶表示装置にかかる実施の形態の駆動状態の液晶配向を示す模式図である。
【図５】本発明の請求項１に記載のＶＡ型液晶表示装置の一実施の形態の構成を示す模式図である。
【図６】本発明の請求項１〜３に記載のＶＡ型液晶表示装置にかかる実施の形態の位相差板挿入箇所を示す概略図である。
【図７】本発明の請求項２に記載のＶＡ型液晶表示装置の一実施の形態の構成を示す模式図である。
【図８】本発明の請求項３に記載のＶＡ型液晶表示装置の一実施の形態の構成を示す模式図である。
【図９】本発明の変形例に係るＶＡ型液晶表示装置の一実施の形態の構成を示す模式図である。
【符号の説明】
【００４５】
１，２，３  ＶＡ型液晶表示装置
４  液晶パネル
４ａ  パネル本体
５  第１のガラス基板
５ａ  第１の透明電極
６  第２のガラス基板
６ａ  第２の透明電極
８  液晶層
８ａ  液晶分子
９  第１の偏光板
９ａ  吸収軸
１０  第２の偏光板
１０ａ  吸収軸
１３  第１の位相差板
１４  第２の位相差板
１５  第３の位相差板
【図１】
2010039281.tif 000003
【図２】
2010039281.tif 000004
【図３】
2010039281.tif 000005
【図４】
2010039281.tif 000006
【図５】
2010039281.tif 000007
【図６】
2010039281.tif 000008
【図７】
2010039281.tif 000009
【図８】
2010039281.tif 000010
【図９】
2010039281.tif 000011